(57)【特許請求の範囲】
【請求項１】
船縁に取り付けられると共に、手元端に道糸を捲回したリールを装備する釣竿本体と、該釣竿本体の穂先から引き出された前記道糸と繋がる多数の釣針を有する仕掛糸と、前記釣竿本体の手元端で、而も該釣竿本体と並んで張り出される共に、手元端が前記船縁に反転自在に軸支持された傾斜掛竿と、更に該傾斜掛竿の先端に設けられると共に、該傾斜掛竿を海面近くまで斜倒した位置において前記仕掛糸が導入乃至は離脱可能な状態となるガイド溝とで成したことを特徴とする船用釣竿装置。
【請求項２】
前記傾斜掛竿は、棒状の軸部と、その軸部の先端側に装着された一定の長さのガイド溝を有する筒部とで連結構成したことを特徴とする請求項1記載の船用釣竿装置。
【請求項３】
前記傾斜掛竿の筒部は、先端に道糸或いは仕掛糸が導き出されると共に、位置定めとなる曲面状片を有し、且つ下端に道糸或いは仕掛糸が導き入れられると共に、位置定めとなる曲面状片を有したことを特徴とする請求項2記載の船用釣竿装置。
【発明の詳細な説明】
【技術分野】
【０００１】
本発明は釣り船、特に多くの釣り人が乗り合う乗合船において、一本の仕掛糸に多数の釣針を連ねてメバル、アジ、イカ等を釣り上げる所謂、胴付き仕掛使用の船用釣竿装置に関する。
【背景技術】
【０００２】
一般的にこの種の釣は、狭い船内において扱い易い様に２〜３ｍ程度の釣竿を使用するが、特に対象魚がメバルやアジの場合は、一度により多くの釣上げを試み、場合によっては全長４ｍ以上の仕掛糸を用いることもあり、それに伴い釣竿も当然に長いものを用いることとなる。
ところで、乗合船においては、他の同乗者への配慮から釣竿の長さにも一定の限界がある。
【０００３】
また、乗合船は魚場を幾度も移動しながらの魚釣りとなるから、魚場によっては５分程度で移動することも珍しくなく、釣り人全員が道糸（リールに巻かれる糸）、更には仕掛糸（多数の釣り針が結ばれた糸）を夫々が回収し終えた後に、次の魚場にと繰り返し移動することから、手早く回収する必要がある。
【０００４】
斯様に道糸を頻繁に送り出し、更には巻き取ることとなるが、道糸と仕掛糸との間に介在するサル環は、当然釣竿のガイドを通過しないので、釣竿の長さより極端に長い仕掛糸を使用することは、実質的に不可能である。
即ち、長い仕掛糸であるとサル環迄を巻き取った後も、未だ仕掛糸が海面下に位置し、手繰り寄せて当該仕掛け糸引き上げなければならず、釣船の移動時間も順応できないことともなった。
また、強風時においては、手繰り寄せた仕掛糸が足元にて吹飛ばされ、仕掛糸が絡むこととなった。
【発明の概要】
【発明が解決しようとする課題】
【０００５】
船釣におけるメバル・アジ釣り等のより一層の釣果を試みて、長い仕掛を使用する場合における限られた釣船での自席範囲、更には仕掛糸の絡み等、特に強風下でのトラブル、更には長い釣竿の長時間の使用に伴う疲労等の多くのリスクを伴う課題を解決することとした。
【課題を解決するための手段】
【０００６】
本発明は、船縁に取り付けられると共に、手元端に道糸を捲回したリールを装備する釣竿本体と、該釣竿本体の穂先から引き出された前記道糸と繋がる多数の釣針を有する仕掛糸と、前記釣竿本体の手元端で、而も該釣竿本体と並んで張り出されると共に、手元端が前記船縁に反転自在に軸支持された傾斜掛竿と、更に該傾斜掛竿の先端に設けられると共に、該傾斜掛竿を海面近くまで斜倒した位置において前記仕掛糸が導入乃至は離脱可能な状態となるガイド溝とで成したことを特徴としたものである。
【０００７】
更に本発明は、傾斜掛竿を、棒状の軸部と、その軸部の先端側に装着された一定の長さのガイド溝を有する筒部とで連結構成したことを特徴としたものである。
【０００８】
また本発明は、傾斜掛竿の筒部は、先端に道糸或いは仕掛糸が導き出されると共に、位置定めとなる曲面状片を有し、且つ下端に道糸或いは仕掛糸が導き入れられると共に、位置定めとなる曲面状片を有したことを特徴としたものである。
【発明の効果】
【０００９】
（１）請求項１により、仮に釣竿本体よりも長い仕掛糸を使用してリールを巻き上げた場合において、未だ仕掛糸が海面下に位置していても、残余の仕掛糸は傾斜掛竿にて引き上げることができ、より多くの釣果が期待できると共に、速やかに仕掛糸を収納することにより釣船の移動時間にも対応できるのは勿論、強風下、手繰り寄せた仕掛糸が足元にて散らばって仕掛糸が絡むこともない。
【００１０】
（２）請求項２により、仕掛糸は一定の長さの筒部内をスライドして垂れ下がるので、その垂れ下がる位置、即ち錘Ｗの位置と道糸との距離は一定間の隔たりがあり、従って仕掛糸と道糸との絡まりが極力回避できる。
【００１１】
（３）請求項３により、道糸或いは仕掛糸は筒部内において、上側は先端の曲面状片にて、更に下側は下端の曲面状片にて夫々保持され、筒部から外れることはなく、且つ仕掛糸の導入、導出時のガイドとなる。
【図面の簡単な説明】
【００１２】
【図１】船用釣竿装置を示す斜視図
【図２】同上の傾斜掛竿筒部の拡大斜視図
【図３】同上の上端部の拡大斜視図
【図４】同上の下端部の拡大斜視図
【発明を実施するための形態】
【００１３】
以下本発明を実施形態の図面に基づいて説明する。
図1は船用釣竿装置を示す斜視図であって、船縁Fに竿受Ｂが取り付けられており、この竿受Ｂに釣竿本体Ｓの手元端Ｓａが支持されている。この釣竿本体Ｓの手元端ＳａにはリールRが装備されている。
尚、この釣竿本体Ｓは道糸Mが釣竿本体Ｓの内孔を通る所謂、中通しタイプ
としてるが、勿論、道糸Ｍが釣竿本体Ｓに適宜間隔にて備えられたガイドを通る所謂、ガイドタイプとしてもよく、特に限定するものではない。
【００１４】
而して、釣竿本体Ｓの穂先Ｓｂから引き出された道糸Mはサル環Ｑを介して一定間隔にて多数の釣針ｕを有する仕掛糸Tを繋いでいる。
勿論、この釣針ｕは擬餌針とする所謂、サビキ釣針、イカ釣り用スッテ、更には活き餌を多数列ねる刺し餌釣針としてもよく、特に限定するものではない。
仕掛糸Tの下端には錘Ｗを結んでおり所謂、胴付き仕掛となっている。この錘Ｗとして、撒き餌を収納する網カゴタイプとしてもよく、また道糸Mとサル環Ｑとの間に網カゴを介在させてもよい。
【００１５】
更に船縁Ｆには釣竿本体Ｓの手元端Ｓａの側に並んで張り出された傾斜掛竿１が位置し、且つ該傾斜掛竿１の手元端１ａが支柱２の軸３に軸支持され、海面に対し矢印Ｘにて示す如く、上下方向に反転自在となるっている。
【００１６】
而して、具体的に傾斜掛竿１は釣竿本体Ｓに比し、可撓性に富まずして手元端１ａ及び上下方向に反転操作させる際に、釣り人が握る棒状握部１ｂと、更に図２に示す如く、この棒状握部１ｂから先端１ｃに亘って一定長さＹの筒部４とで成しており、且つ筒部４は海面に対し、上面側が開口する一定幅のスリット５ａを有するガイド溝５を形成しており、このガイド溝５にはスリット５ａより導入された道糸Ｍ、或いは仕掛糸Tが釣針ｕと共に、リールRの操作によってガイド溝５をスラドする。
【００１７】
更に、図３に示す如く、筒部４の先端４ａには曲面状片４ｂを出し、道糸Ｍ、或いは仕掛糸Tがスムーズに導き出されると共に、位置定めとしている。
また、図４に示す如く、筒部４の下端４ｃにも同様に曲面状片４ｄを形成し、道糸Ｍ、或いは仕掛糸Tがスムーズに導き入れられると共に、位置定めとしている。
【００１８】
次に本発明船用釣竿装置の使用順序を説明すると、図１は船縁Fの竿受Ｂに釣竿本体Ｓが支持されており、リールRからの道糸Ｍは穂先Ｓｂを通して引き出されている。
更に道糸Mにはサル環Ｑを介して一定間隔にて多数の釣針ｕを有する仕掛糸Tが繋がれている。
而して、仕掛糸Tは傾斜掛竿１の先端１ｃから筒部４のガイド溝５に導入されており、リールRの操作によってガイド溝５内を自在にスライド可能となっている。
【００１９】
この状態において、傾斜掛竿１を釣竿本体Ｓより低くして海面に近い状態まで斜倒し、仕掛糸Tが離脱し、釣竿本体Ｓの穂先Ｓｂから一直線に海面下に垂れ下がると共に、所定の棚において錘Ｗの負荷に加えて目的とする魚の掛かり状態が柔らかい穂先Ｓｂに反応することとなる。
【００２０】
上記状態において、穂先Ｓｂの反応により魚の掛かり状態を感知すればリールRの操作により道糸Mを巻き上げると共に、仕掛糸Tの少し手前で止め、道糸Mを図２に示す如く、筒部４の下端４ｃの曲面状片４ｄに道糸Ｍ、或いは仕掛糸Tを沿わせて傾斜掛竿１を矢印Ｘ方向に持ち上げれば、道糸Ｍ、或いは仕掛糸Tはスリット５ａに沿ってガイド溝５に導き入れられと共に、先端４ａの曲面状片４ｂから道糸Ｍ、或いは仕掛糸Tは導き出され、筒部４のガイド溝５内をスムーズに進退することとなる。
【００２１】
尚、上記仕掛糸Tが下端４ｃの曲面状片４ｄに沿った状態Ｔａから矢印Ｚの方向に示す如く、更に先端４ａの曲面状片４ｂから導き出された状態Ｔｂとして示している。
【００２２】
而して、その後、リールRの操作により道糸M及び仕掛糸Tは傾斜掛竿１のガイド溝５を通過して引き上げられる。
即ち、釣竿本体Ｓより長い仕掛糸Tを繋いだ場合においても、傾斜掛竿１にてその仕掛糸Tを回収できることから、多数の釣針ｕをセットした仕掛糸Tの使用が可能となり、一度に多くの魚を釣り上げることができる。
【符号の説明】
【００２３】
Ｆ    船縁
Ｂ    竿受
Ｓ    釣竿本体
Ｒ    リール
Ｍ    道糸
Ｔ    仕掛糸
ｕ    釣針
１    傾斜掛竿
２    支柱
３    軸
４    筒部
４ｂ  曲面状片
４ｄ  曲面状片
５    ガイド溝
５ａ  スリット
【図１】
0005270708.tif 000002
【図２】
0005270708.tif 000003
【図３】
0005270708.tif 000004
【図４】
0005270708.tif 000005